(57)【特許請求の範囲】
【請求項１】
縦方向および横方向を有し、肌対向面およびその反対側である非肌対向面と、前記縦方向へ連なる前後域および前記前後域の間に位置する中間域と、前記肌対向面に位置する表面シートと、前記非肌対向面に位置する裏面シートと、前記表裏面シートの間に位置する第１の吸収体と、前記第１の吸収体の前記縦方向へ延びる第１の条溝と、前記横方向へ収縮可能な弾性体とを含む使い捨て吸収性物品において、
前記第１の吸収体は、吸液性の芯材を有し、
前記条溝は、前記芯材の実質的な非存在によって形成され、前記中間域から前記前後域に連続して前記縦方向へ延びるとともに、前記第１の吸収体の厚さ方向へ延びる一対の側壁面と、前記側壁面の間に位置するとともに、前記裏面シートに沿って形成された底面とを有し、前記条溝の前記縦方向外側には、前記芯材がほぼ全域に存在する前後吸収部が形成され、
前記弾性体は、前記中間域に位置し前記条溝を横切ってこれに重なるとともに、その両端部が前記条溝の前記横方向外側へ延出して取り付けられ、
前記表面シートは、前記条溝では、その前記側壁面および前記底面に沿って配置され、
前記弾性体の収縮時において、前記条溝の前記側壁面が互いに離間距離を小さくして接近し、
前記第１の吸収体は、前記横方向の中央に位置する中央領域と、前記中央領域の前記横方向外側へ位置し、前記中央領域よりも剛性が低い低剛性両側領域とを有し、
前記低剛性両側領域は、単位面積当たりの質量が前記中央領域よりも小さく、前記第１の吸収体の両側縁に沿って前記縦方向へ延び、
前記弾性体は、前記低剛性両側域の前記横方向の外側にまで延び、前記低剛性両側領域に重なって取り付けられていることを特徴とする前記吸収性物品。
【請求項２】
前記条溝は、前記横方向へ離間して複数形成される請求項１記載の使い捨て吸収性物品。
【請求項３】
前記低剛性両側領域は、前記第１の吸収体の芯材の質量が前記中央領域よりも小さくされる請求項１または２記載の使い捨て吸収性物品。
【請求項４】
前記表面シートには、前記縦方向へ延びるとともに、前記横方向へ離間するバリアカフシートが一対形成され、前記バリアカフシートは、前記表面シートに接合された近位縁部と、前記表面シートから離間可能で前記縦方向へ伸縮可能な遠位縁部とを含む請求項１〜３のいずれかに記載の使い捨て吸収性物品。
【請求項５】
前記第１の吸収体は、前記第１の条溝とは重ならない位置において前記横方向へ延びる第２の条溝をさらに有する請求項１〜４のいずれかに記載の使い捨て吸収性物品。
【請求項６】
前記第１の吸収体と前記表面シートとの間には、第２の吸収体がさらに配置される請求項１〜５のいずれかに記載の使い捨て吸収性物品。
【請求項７】
前記第２の吸収体は、高吸収性ポリマー粒子を含む請求項６記載の使い捨て吸収性物品。
【発明の詳細な説明】
【技術分野】
【０００１】
この発明は、使い捨て吸収性物品に関し、より詳しくは、溝が形成された吸収体を有する使い捨て尿パッド、使い捨ておむつ、使い捨てのトイレット・トレーニングパンツ、使い捨て失禁パンツ、使い捨ての生理用パンツ等の使い捨ての吸収性物品に関する。
【背景技術】
【０００２】
従来、表面シートと、裏面シートと、これら表裏面シートの間に配置された吸収体とを有する吸収性物品は公知である。例えば、特許文献１には、吸収体に他の部分よりも厚さ方向の寸法が小さくされた肉薄部が形成された使い捨ておむつが開示されている。肉薄部は、吸収体の縦方向へ延びるとともに、横方向へ離間して複数形成される。吸収体の裏面シート側には、肉薄部を横断する方向へ収縮力を与える弾性部材が設けられる。肉薄部は、縦方向へ並ぶ前面部と中間部と後面部とに離間してそれぞれ設けられ、これら肉薄部が不連続とされる。弾性部材は、前面部と中間部との間であって、肉薄部が不連続な部分に設けられる。このように、弾性部材を設けることで、吸収体および裏面シートが横方向へ収縮してフロントギャザーが形成され、中間部が着用者の股間に挟まれたときに、体から離れる方向へのふくらみが発生しなくなり、着用者の股間にフィットし易くなる。
【先行技術文献】
【特許文献】
【０００３】
【特許文献１】特許第３５５８８０１号公報（ＪＰ３５５８８０１Ｂ）
【発明の概要】
【発明が解決しようとする課題】
【０００４】
上記のような特許文献１において、弾性部材は、肉薄部が不連続な部分に設けられるから、横方向における収縮が吸収体によって阻害されてしまう。また、体液は肉薄部によって形成された溝に沿って流れるが、不連続な部分によってその溝が中断されるから、体液がそれ以上縦方向外側へ流れることができない。したがって、中間部では吸収体の芯材に体液が吸収されるが、前面部および後面部の芯材では体液が吸収されず、芯材がほぼ未使用のまま廃棄される。このように特許文献１では、吸収体全体を有効に使用することができないという問題があった。
【０００５】
この発明では、吸収体を広い範囲で有効に使用することができる使い捨て吸収性物品を提供することを課題とする。
【課題を解決するための手段】
【０００６】
この発明は、縦方向および横方向を有し、肌対向面およびその反対側である非肌対向面と、前記縦方向へ連なる前後域および前記前後域の間に位置する中間域と、前記肌対向面に位置する表面シートと、前記非肌対向面に位置する裏面シートと、前記表裏面シートの間に位置する第１の吸収体と、前記第１の吸収体の前記縦方向へ延びる第１の条溝と、前記横方向へ収縮可能な弾性体とを含む使い捨て吸収性物品の改良にかかわる。
【０００７】
この発明は、前記使い捨て吸収性物品において、前記第１の吸収体は、吸液性の芯材を有し、前記条溝は、前記芯材の実質的な非存在によって形成され、前記中間域から前記前後域に連続して前記縦方向へ延びるとともに、前記第１の吸収体の厚さ方向へ延びる一対の側壁面と、前記側壁面の間に位置するとともに、前記裏面シートに沿って形成された底面とを有し、前記条溝の前記縦方向外側には、前記芯材がほぼ全域に存在する前後吸収部が形成され、前記弾性体は、前記中間域に位置し前記条溝を横切ってこれに重なるとともに、その両端部が前記条溝の前記横方向外側へ延出して取り付けられ、前記表面シートは、前記条溝では、その前記側壁面および前記底面に沿って配置され、前記弾性体の収縮時において、前記条溝の前記側壁面が互いに離間距離を小さくして接近し、前記第１の吸収体は、前記横方向の中央に位置する中央領域と、前記中央領域の前記横方向外側へ位置し、前記中央領域よりも剛性が低い低剛性両側領域とを有し、前記低剛性両側領域は、単位面積当たりの質量が前記中央領域よりも小さく、前記第１の吸収体の両側縁に沿って前記縦方向へ延び、前記弾性体は、前記低剛性両側域の前記横方向の外側にまで延び、前記低剛性両側領域に重なって取り付けられていることを特徴とする。
【発明の効果】
【０００８】
この発明の特にそのひとつ以上の実施態様によれば、第１の吸収体に縦方向へ延びる条溝を形成するとともに、この条溝が吸収性物品の中間域から前後域に連続して延びるので、中間域に排泄された尿などの体液は、条溝に沿って前後域まで移行することができる。したがって、吸収体を広い範囲で有効に使用することができる。
【図面の簡単な説明】
【０００９】
【図１】使い捨て吸収性物品の一実施形態である使い捨て尿パッドの斜視図。
【図２】展開した尿パッドの肌対向面から見た平面図。
【図３】図２のＩＩＩ-ＩＩＩ線断面図。
【図４】図１のＩＶ−ＩＶ線断面図。
【図５】他の実施形態の尿パッドの平面図。
【図６】他の実施形態の尿パッドの一部切欠平面図。
【発明を実施するための形態】
【００１０】
図１〜４を参照すると、尿パッド１は、縦方向Ｙおよび横方向Ｘを有し、前域１１および後域１２、これら前後域１１，１２間に位置する中間域１３と、横方向Ｘへ延びる前後端縁１４，１５と、縦方向Ｙへ延びる両側縁１６とを有する。図２，３において、各弾性体は、その収縮力に抗して伸長させた状態で示す。
【００１１】
尿パッド１は、横方向Ｘにおける寸法を二等分する仮想縦中心線２−２と、縦方向Ｙにおける寸法を二等分する仮想横中心線３−３とを有し、仮想縦中心線２−２においてほぼ対称にされる。
【００１２】
尿パッド１は、肌対向面に位置する透液性かつ親水性の表面シート２０と、その反対側である非肌対向面に位置する難透液性または不透液性の裏面シート３０と、これらシート２０，３０の間に位置する第１の吸収体４０とを含む。表面シート２０には、縦方向Ｙへ延びるとともに、横方向Ｘへ離間する一対のバリアカフシート５０が取り付けられる。
表裏面シート２０，３０は、ほぼ同形同大とされるとともに、吸収体４０よりもその面積が大きくされ、吸収体４０の縦方向Ｙおよび横方向Ｘからそれぞれ延出し、延出した表裏面シート２０，３０が互いに図示しないホットメルト接着剤等の公知の接合手段によって接着される。
【００１３】
表面シート２０としては、例えば、質量約１５〜３５ｇ／ｍ２、好ましくは約１８〜２３ｇ／ｍ２のスパンボンド繊維不織布またはポイントボンド繊維不織布を用いることができる。裏面シート３０としては、例えば、質量約１０〜３０ｇ／ｍ２のスパンボンド・メルトブローン・スパンボンド（以下ＳＭＳとする）繊維不織布、スパンボンド繊維不織布、または、これら繊維不織布の少なくともひとつとプラスチックフィルムとのラミネートを用いることができる。
【００１４】
バリアカフシート５０としては、例えば、質量約１０〜３０ｇ／ｍ２のＳＭＳ繊維不織布を用いることができる。バリアカフシート５０は、前端縁１４および後端縁１５間において縦方向Ｙへ延びるとともに、横方向Ｘへ延びる前後端縁５１，５２と、縦方向Ｙへ延びるとともに、表面シート２０に接合される近位縁部５３と、表面シート２０から離間可能な遠位縁部５４とを有する。遠位縁部５４には、バリアカフシート５０によってスリーブが形成され、スリーブ内に縦方向Ｙへ延びるバリアカフ弾性体５５が伸長状態で収縮可能に取り付けられる。バリアカフ弾性体５５の収縮力によって遠位縁部５４が表面シート２０から起立するように離間して、着用者の鼠蹊部近傍に密着し、体液の漏れを防止する。
【００１５】
吸収体４０は、中間域１３から前後域１１，１２へと延出し、比較的広範囲で体液を吸収することができる。吸収体４０は、吸液性の芯材４１と、芯材４１を覆うティッシュペーパ等の液拡散性の被覆シート４２とによって形成される。芯材４１として木材フラッフパルプ、高吸収性ポリマー粒子、またはこれらの混合物等を用いることができる。芯材４１と被覆シート４２とは、図示しない間欠的に塗布されたホットメルト接着剤等の公知の接合手段を用いて互いに接合される。
【００１６】
吸収体４０は、中間域１３の横方向Ｘにおける寸法が前後域１１，１２のそれよりも小さくされる。中間域１３は、仮想横中心線３−３上に位置するとともに、仮想横中心線３−３近傍から前域１１へと延びて、尿パッド１の前方に偏倚されている。吸収体４０は、横方向Ｘ中央に位置する中央領域４６と、その横方向Ｘ外側に位置し、中央領域４６よりも剛性が低い低剛性両側領域４７とを含む。低剛性両側領域４７は、吸収体４０の両側縁に沿って縦方向Ｙへ延びる。この実施形態では、低剛性両側領域４７は、中央領域４６よりも芯材４１の質量が小さくされて、厚さ方向における寸法が小さくされる。具体的には、中央領域４６の芯材４１の質量は約３００〜７００ｇ／ｍ２、厚さ方向における寸法が約５〜１５ｍｍであり、低剛性両側領域４７の質量は約１５０〜４００ｇ／ｍ２、厚さ方向における寸法が約１〜１０ｍｍとすることができる。低剛性両側領域４７は、前域１１、中間域１３、後域１２において縦方向Ｙへ連なって形成される。
【００１７】
＜厚さ方向における寸法の測定方法＞
吸収体４０の厚さ方向における寸法は、ピーコック社製の厚さ測定器（バネ無し）を用い測定した。具体的には、測定台の上に吸収体４０を載せ、その上から、直径５０ｍｍの測定端子を載せ、端子の自重で吸収体４０を挟み、測定台と測定端子との離間寸法を測定し、吸収体の厚さとした。測定端子の質量は、約２．３〜３．６ｇｆ／ｃｍ２であり、この範囲において、吸収体４０に荷重がかけられた状態で測定される。
【００１８】
吸収体４０の中央領域４６には、芯材４１が存在しない、または実質的に存在しない複数の第１の条溝４３が形成される。芯材が実質的に存在しないとは、僅かに存在するが吸収体４０の吸収能力にほとんど影響を与えないものであって実質的には非存在である場合をいう。条溝４３は、縦方向Ｙへ延びるとともに、横方向Ｘへ離間して並んでいる。条溝４３は、吸収体４０によって形成されるとともに厚さ方向へ延びる一対の側壁面４４と、これら側壁面４４の間に位置する底面４５とを有する。
【００１９】
吸収体４０と裏面シート３０との間には、横方向Ｘへ延びる複数の弾性体６０が伸長状態で収縮可能に取り付けられる。弾性体６０は、縦方向Ｙへ離間して取り付けられるとともに、吸収体４０のほぼ中間域１３に配置される。弾性体６０は、吸収体４０の両側縁の外側へ延出して延びて取り付けられ、吸収体４０の横方向Ｘ全域においてその収縮力が作用する。弾性体６０としては、太さ約３００〜９４０ｄｔｅｘ、好ましくは約３００〜６００ｄｔｅｘのストランド状またはストリング状のものを用いることができ、伸長倍率を約２．０〜３．０として取り付けることができる。
【００２０】
図２を参照すると、弾性体６０を伸長させた状態において、尿パッド１の中間域１３の横方向Ｘにおける寸法は約２００ｍｍとされる。条溝４３の横方向Ｘにおける寸法は、約５〜２０ｍｍ、好ましくは約８〜１５ｍｍとされる。条溝４３の縦方向Ｙにおける寸法は、約６０〜６００ｍｍ、好ましくは約８０〜３００ｍｍとされる。
尿パッド１の縦方向Ｙにおける寸法は、約４００〜８００ｍｍであって、条溝４３の縦方向Ｙにおける寸法は、尿パッド１のそれの約１５〜７５％とされる。このような尿パッド１において、条溝４３の縦方向Ｙ外側には、条溝が形成されない、すなわち、芯材４１が存在する前後吸収部４８，４９が形成される。後吸収部４９の縦方向Ｙにおける寸法は、前吸収部４８のそれよりも大きくされる。
【００２１】
条溝４３は、例えば、芯材４１を被覆シート４２で覆った後に、カッター等で芯材４１および被覆シート４２を同時に切除することによって形成することもできる。この場合には、条溝４３において芯材４１および被覆シート４２のいずれも非存在とされる。また、条溝４３の形成部分に芯材４１を積層させず、これを被覆シート４２で覆うことによって形成することもできる。この場合には、条溝４３が形成された部分に被覆シート４２が存在するとともに、条溝４３に僅かに芯材４１が残存することもある。
【００２２】
表裏面シート２０，３０は、吸収体４０の縦方向Ｙおよび横方向Ｘの外側では、互いに対向して直接接着されるとともに、条溝４３においても互いに対向し、ホットメルト接着剤等の公知の手段によって接着される。ただし、条溝４３に被覆シート４２が存在する場合には、被覆シート４２を介して表裏面シート２０，３０が互いに接着され、被覆シート４２が存在しない場合には、表裏面シート２０，３０が直接接着される。このような尿パッド１において、条溝４３での表裏面シート２０，３０の接着を強固なものとするために、ロール等で条溝４３を加圧することができる。また、表面シート２０と吸収体４０とは、少なくともいずれか一方に塗布されたホットメルト接着剤等の公知の接合手段によって接着されるが、接着剤は、縦方向Ｙおよび横方向Ｘにおいて間欠的に塗布することができる。この場合において、条溝４３における表面シート２０の接着を強固にするために、条溝４３に対応する位置において、縦方向Ｙへ連続して接着剤を塗布することもできる。接着剤としては、疎水性または濡れ強度が高いものを用いることが好ましい。
【００２３】
条溝４３の横方向Ｘにおける寸法は、吸収体４０の中央領域４６の厚さ寸法よりも大きくすることが好ましい。このように条溝４３の寸法を大きくすることによって、条溝４３の底面４５における表裏面シート２０，３０の接着面積を広くすることができ、これらシートを確実に接着することができるからである。
【００２４】
図４を参照すると、上記のような尿パッド１が弾性体６０の収縮力によって横方向Ｘへ収縮すると、これに重なる吸収体４０が条溝４３の対向する側壁面４４の横方向Ｘにおける離間距離を小さくして接近する。弾性体６０は、中間域１３に取り付けられるから、より一層中間域１３の横方向Ｘにおける寸法が小さくされる。このように横方向Ｘにおける寸法が小さくされた中間域１３を着用者の股間部に対応させて着用することによって、尿パッド１を着用者に密着させることができ、着用者が動いたりした場合であっても、尿パッド１がずれるのを防止することができる。図４に示した尿パッド１の中間域１３の横方向Ｘにおける寸法は、約１３０〜１８０ｍｍとすることができる。
【００２５】
弾性体６０が収縮し、条溝４３の側壁面４４の離間距離が小さくされ、その一部では、側壁面４４に位置する表面シート２０が互いに接触する。このように、側壁面４４が互いに接触することによって、吸収体４０の吸収面に位置する表面シート２０が平面的に着用者の肌に接触する。したがって、表面シート２０の着用者に対する刺激を低減することができる。弾性体６０の収縮力が大きい場合には、条溝４３間に位置する芯材４１までもその収縮力によって変形する可能性がある。また、弾性体の収縮力が小さい場合には、条溝４３が十分に縮められずに、表面シート２０が平面的に着用者の肌に接触することができない。吸収体４０の剛性と弾性体６０の収縮力との関係において適宜、弾性体６０の太さおよび伸長倍率を変更することができる。
【００２６】
尿パッド１は、例えば、寝たきりの高齢者等に好適に用いることができる。寝たきりの着用者は、褥瘡の予防のために、仰向け姿勢と横向き姿勢とを交互に繰り返すことが多い。特に、横向き姿勢になった場合には、排泄された尿が尿パッド１の横方向Ｘへ向かって流れようとする。しかし、条溝４３は、縦方向Ｙにおいて連続して形成されるから、横方向Ｘへ向かって流れようとする尿を、条溝４３を伝って縦方向Ｙへ拡散させることができる。縦方向Ｙへ拡散された尿は、拡散されながら横方向Ｘへとさらに拡散し吸収されるか、条溝４３の縦方向Ｙ外側に位置する前後吸収部４８，４９に吸収される。条溝４３が形成されない場合には、尿は、中間域１３において横方向Ｘへ流れるから、前後域１１，１２には移行されない。したがって、前後域１１，１２に位置する吸収体４０の芯材４１がほとんど未使用の状態となってしまう。また、中間域１３のみの芯材で尿を吸収するので、吸収しきれなかった尿が漏れる可能性がある。これに対して、この実施形態の尿パッド１では、条溝４３が前後域１１，１２にまで延びるので、そこに位置する芯材４１を有効に使用することができ、尿の漏れを防止することもできる。
【００２７】
着用者が仰向け姿勢の場合には、尿が後域１２へと流れやすいが、後域１２には、後吸収部４９が形成されるから、尿を確実に吸収することができ、後端縁１５側へと漏れるのを防止することができる。また、後吸収部４９を前吸収部４８よりも広くしているので、後域１２に流れた尿をより一層確実に吸収することができる。
【００２８】
弾性体６０は中間域１３に取り付けられ、条溝４３は中間域１３を超えて縦方向Ｙへ延びる。したがって、中間域１３の外方に位置する前後域１１，１２にまで条溝４３に沿って排泄物を誘導することができ、かつ、弾性体６０の収縮力によって、中間域１３を横方向Ｘへと円滑に収縮させることができる。仮に、条溝４３が中間域１３にのみ形成されると、その外側に位置する芯材等によって、横方向Ｘの収縮が阻害され、中間域１３が十分に収縮されないおそれがある。また、弾性体６０の収縮時において、中間域１３の条溝４３は、側壁面４４に位置する表面シート２０が互いに一部接触するか、または、接触するほどに接近している。前後域１１，１２の条溝４３の側壁面４４は、中間域１３のそれよりも横方向Ｘにおける離間寸法が大きくされる。したがって、前後域１１，１２に流れた尿は、条溝４３によって隣接する芯材４１への移行が阻害され、尿が横方向Ｘへと移動しにくくすることができる。また、前後域１１，１２に前後吸収部４８，４９を形成することによって、吸収体４０の縦方向Ｙ外側における剛性を確保することができ、吸収体４０全体がよれるのを防止し、着用者の肌への密着性を維持することができる。
【００２９】
吸収体４０の両側縁には、低剛性両側領域４７が形成されるから、中央領域４６との間に剛性差が生じる。吸収体４０では、剛性差が生じた部分、すなわち、中央領域４６と低剛性両側領域４７との境界において屈曲し易くなる。また、弾性体６０は、低剛性両側領域４７の横方向Ｘ外側にまで延びているから、特に、弾性体６０が取り付けられた領域においては、低剛性両側領域４７が屈曲しやすい。表面シート２０には、バリアカフシート５０が取り付けられるが、このバリアカフシート５０の遠位縁部５４は、低剛性両側領域４７に重なるように配置される。遠位縁部５４にはバリアカフ弾性体５５が取り付けられるから、バリアカフ弾性体５５の収縮力によって、低剛性両側領域４７は、中央領域４６との境界から肌対向面に向かって屈曲する。したがって、吸収体４０は、より一層着用者の肌に密着し易くなる。この実施形態において、低剛性両側領域４７では、中央領域４６よりも芯材を減量しているが、主に尿を吸収するのは中央領域４６であるから、その両側で芯材を減量しても、吸収体４０全体の吸収量に大きな影響を与えることがなく、尿漏れ等の誘因となることはない。
【００３０】
弾性体６０は、裏面シート３０と吸収体４０との間に取り付けられる。このような構成にすることによって、尿パッド１を製造する際に、弾性体６０が製造過程で収縮することなく、すなわち、伸長状態を維持したまま取り付けることができる。具体的には、裏面シート３０を回転ドラムに載置して搬送し、この回転ドラム上の裏面シート３０に、伸長状態の弾性体６０を配置するとともに、弾性体６０の伸長状態を維持したまま、さらに吸収体４０を積層させることができる。したがって、弾性体６０を回転ドラム上で伸長させたまま、裏面シート３０と吸収体４０とを安定して積層および接合することができる。
【００３１】
この実施形態において、複数の条溝４３の縦方向Ｙにおける寸法がほぼ等しくされているが、これが異なるものであってもよい。また、条溝４３は、１本であってもよいし、２本以上であってもよい。
吸収体４０は、両側縁近傍に低剛性両側領域４７が形成されるが、必ずしもこれが形成されなくてもよい。また、弾性体６０として、ストランド状またはストリング状のものを用いているが、これに限定されるものではなく、例えば、伸縮性を有する繊維不織布等を用いることもできる。
【００３２】
この実施形態において、低剛性両側領域４７は、芯材４１の両側縁近傍に形成される。また、芯材４１の両側縁とこれに隣接する条溝４３との間には、質量が大きい中央領域４６と低剛性両側領域４７との両方が存在し、これらが隣接される。これに対して、芯材４１の両側縁とこれに隣接する条溝４３との間においては、低剛性両側領域４７のみが存在するようにすることもできる。この場合には、条溝４３を挟んで低剛性両側領域４７の横方向Ｘ内側に中央領域４６が存在する。条溝４３を挟んで中央領域４６と低剛性両側領域４７とが分離されることによって、これら領域４６，４７の間の剛性差を大きくすることができ、低剛性両側領域４７は、より一層、肌対向面へ起立するように屈曲し易くなる。
【００３３】
上記のような尿パッド１において、条溝４３に沿って尿パッド１を折り畳むことができる。具体的には、尿パッド１の両側縁１６を横方向Ｘ内方に位置させるように条溝４３に沿って折り畳むとともに、折り畳んだ部分では表面シート２０を互いに対向させる。このように折り畳むことによって条溝４３に沿って、縦方向Ｙに折曲線が形成される。特に、折り畳まれた尿パッドを複数積層させて圧縮しパッケージした場合には、条溝４３の折曲線に沿って折癖がつき、これを着用する際には、芯材４１が条溝４３から着用者に向かって屈曲し易くなる。横方向Ｘの最も外側の条溝４３で折り畳むと、より一層、芯材４１の両側縁近傍を屈曲し易くすることができる。
【００３４】
図５は、この発明の他の例を示したものであり、縦方向Ｙへ延びる第１の条溝４３のほかに、吸収体４０の後吸収部４９において、横方向Ｘへ延びる第２の条溝７０が形成されることを特徴とする。第２の条溝７０を形成することによって後吸収部４９に吸収された尿が、それ以上縦方向Ｙ後方へと移動しないようにすることができる。したがって、尿が後端縁１５から漏れるのをより一層防止することができる。第２の条溝７０は、第１の条溝４３と同様の方法で形成することができる。また、第２の条溝７０においては、芯材４１が存在しない場合、存在する場合、または、僅かに存在する場合のいずれであってもよい。芯材４１が存在する場合には、他の領域に比べて芯材４１の質量が小さくされているものであってもよいし、芯材４１の質量は他の領域と同程度であって、圧縮等によって溝が形成されるようなものであってもよい。
【００３５】
図６は、この発明のさらに他の例を示したものであり、第１の吸収体４０の後吸収部４９において、さらに第２の吸収体７１が配置されたものである。第２の吸収体７１としては、例えば、高吸収性ポリマー粒子を用いた芯材７２を、被覆シート７３で覆い、シート状に形成されたものを用いることができる。このような第２の吸収体７１は、第１の吸収体４０と表面シート２０との間に配置することができる。芯材７２は、縦方向Ｙに分断して複数配置され、その一部においては横方向Ｘにも分断される。また、芯材７２の一部は条溝４３に重なって位置し、他は吸収体４０の後吸収部４９に重なって位置する。第２の吸収体７１を備えることによって、尿が溜まりやすい後吸収部４９において尿の吸収量・保持量を増大させることができ、より一層尿漏れを防ぐことができる。さらに芯材７２として水不溶性で自質量の１０倍以上の吸収能を有する高吸収性ポリマー粒子を用いることによって、第１の吸収体４０に吸収された尿が、着用者の肌に接触し、肌が濡れるのを防止することができる。芯材７２は、縦方向Ｙおよび横方向Ｘに分断して配置することによって、これらが水分を吸収した際に膨張可能とされる。芯材７２の形状や位置等については適宜変更可能である。
【００３６】
以上に記載したこの発明に関する開示は、少なくとも下記事項に要約することができる。
この発明は、以下の使い捨て吸収性物品１の改良にかかわる。吸収性物品１は、縦方向Ｙおよび横方向Ｘを有し、肌対向面およびその反対側である非肌対向面と、前記縦方向Ｙへ連なる前後域１１，１２および前記前後域１１，１２の間に位置する中間域１３と、前記肌対向面に位置する表面シート２０と、前記非肌対向面に位置する裏面シート３０と、前記表裏面シート２０，３０の間に位置する第１の吸収体４０と、前記第１の吸収体４０の前記縦方向Ｙへ延びる第１の条溝４３と、前記横方向Ｘへ収縮可能な弾性体６０とを含む。
【００３７】
この発明は、上記使い捨て吸収性物品１において、以下の点を特徴とする。
前記第１の吸収体４０は、吸液性の芯材４１を有する。
前記条溝４３は、前記芯材４１の実質的な非存在によって形成され、前記中間域１３から前記前後域１１，１２に連続して前記縦方向Ｙへ延びるとともに、前記第１の吸収体４０の厚さ方向へ延びる一対の側壁面４４と、前記側壁面４４の間に位置するとともに、前記裏面シート３０に沿って形成された底面４５とを有し、前記条溝４３の前記縦方向Ｙ外側には、前記芯材４１がほぼ全域に存在する前後吸収部４８，４９が形成される。
前記弾性体６０は、前記中間域１３に位置し前記条溝４３を横切ってこれに重なるとともに、その両端部が前記条溝４３の前記横方向Ｘ外側へ延出して取り付けられる。
前記表面シート２０は、前記条溝４３では、その前記側壁面４４および前記底面４５に沿って配置される。
前記弾性体６０の収縮時において、前記条溝４３の前記側壁面４４が互いに離間距離を小さくして接近する。
【００３８】
上記の発明は、少なくとも下記の実施の形態を含むことができる。
（１）前記条溝４３は、前記横方向Ｘへ離間して複数形成される。
（２）前記第１の吸収体４０は、前記横方向Ｘの中央に位置する中央領域４６と、前記中央領域４６の前記横方向外側に位置し、前記中央領域４６よりも剛性が低い低剛性両側領域４７とを有する。
（３）前記低剛性両側領域４７は、前記第１の吸収体４０の芯材４１の質量が前記中央領域４６よりも小さくされる。
（４）前記弾性体６０は、前記低剛性両側領域４７に重なって取り付けられる。
（５）前記表面シート２０には、前記縦方向Ｙへ延びるとともに、前記横方向Ｘへ離間するバリアカフシート５０が一対形成され、前記バリアカフシート５０は、前記表面シート２０に接合された近位縁部５３と、前記表面シート２０から離間可能で前記縦方向Ｙへ伸縮可能な遠位縁部５４とを含む。
（６）前記第１の吸収体４０は、前記第１の条溝４３とは重ならない位置において前記横方向Ｘへ延びる第２の条溝７０をさらに有する。
（７）前記第１の吸収体４０と前記表面シート２０との間には、第２の吸収体７１がさらに配置される。
（８）前記第２の吸収体７１は、高吸収性ポリマー粒子を含む。
【００３９】
使い捨て吸収性物品の一例である使い捨て尿パッド１を構成する各構成部材には、この明細書に記載されている材料のほかに、この種の分野において通常用いられる、各種の公知の材料を制限なく用いることができる。また、この発明の明細書において、用語「第１」および「第２」は、同様の要素、位置等を単に区別するために用いられる。
【符号の説明】
【００４０】
１    尿パッド（使い捨て吸収性物品）
１１    前域
１２    後域
１３    中間域
２０    表面シート
３０    裏面シート
４０    第１の吸収体
４３    第１の条溝
４４    側壁面
４５    底面
４６    中央領域
４７    低剛性両側領域
４８    前吸収部
４９    後吸収部
６０    弾性体
７０    第２の条溝
７１    第２の吸収体
【図１】
0005916345.tif 000002
【図２】
0005916345.tif 000003
【図３】
0005916345.tif 000004
【図４】
0005916345.tif 000005
【図５】
0005916345.tif 000006
【図６】
0005916345.tif 000007